(57)【要約】【課題】木材などの廃棄物の再利用が可能で、手作業で簡単に製造できる着火材を提供することを目的とする。【解決手段】５〜１０ｃｍ程度に略同長に揃えた１０〜３０本の廃材から得られた細長木片２群の中に、１本の着火しやすい芯材４を前記細長木片２群の一方端部から突出させて挟み込み、前記細長木片２群の周囲をトイレットペーパーの芯材を輪切りにして得られた紙管３で薪束状に結束し、全体を蝋液中に浸けて前記各細長木片２と紙管３と芯材４の表面に蝋５を付着させる。【選択図】    図１
0003152331.tif 000002
【実用新案登録請求の範囲】
【請求項１】
略同長に揃えた細長木片群の中に、少なくとも１本の着火しやすい芯材を該細長木片群の一方端又は両端から突出させて挟み込み、前記細長木片群の周囲を紙管で薪束状に結束したことを特徴とする着火材。
【請求項２】
芯材を細長蝋燭としたことを特徴とする請求項１に記載の着火材。
【請求項３】
芯材の両端を、結束した細長木片群の両側から内部の細長木片間に差し込んで輪状に形成したことを特徴とする請求項１に記載の着火材。
【請求項４】
全体を蝋液中に浸けて取り出し、表面に蝋を付着させたことを特徴とする請求項１〜４のうちいずれかに記載の着火材。
【考案の詳細な説明】
【技術分野】
【０００１】
本考案は薪などの着火しくい燃料を容易に着火させるための着火材に関する。
【背景技術】
【０００２】
太い薪などは一度燃え始まると大きい火力で燃え続けるが、最初から直接薪に火を着けることが難しいので、薪などのへの着火が容易となるように木炭に固形燃料を塗布した下記特許文献１に記載の「固形燃料塗布済み木炭」や、粉末のヤシ殻などの炭化物とアルコールなどの可燃液体有機物とをバインダーを加えて混合した下記特許文献２に記載の「着火材」などの着火材が提案されている。
これらの特許文献１、２に記載の材料は、その材料自体が着火しやすくなっているので、先にその材料に火を着けると、その火力によって火が着きにくい薪などを燃え出させることが可能となる。
【先行技術文献】
【特許文献】
【０００３】
【特許文献１】特開２００１−１４６５９５号公報
【特許文献２】特開２００３−２０４９１号公報
【考案の概要】
【考案が解決しようとする課題】
【０００４】
しかしながら、上記特許文献のいずれの発明も炭化した材料を使用するので予め原料を炭化させて置くための多くの手間と時間を要とし、また特に特許文献２の発明では、炭化物と可燃液体有機物とバインダーを混合して製作しなければならず、一般人にとっては容易に製作することができない難点があった。
一方、環境保護の観点から木材資源の有効活用が広く求められているが用途を容易に見出すことができず、実際に資源を活用しようとしても容易にはできない現実がある。
そこで本考案は、木材などの廃棄物の再利用が可能で、薪などの着火しにくい燃料に容易に着火できる着火材を提供することを目的とする。
【課題を解決するための手段】
【０００５】
上記課題を解決するため、本考案の着火材は、請求項１に記載の考案にあっては、略同長に揃えた細長木片群の中に、少なくとも１本の着火しやすい芯材を該細長木片群の一方端又は両端から突出させて挟み込み、前記細長木片群の周囲を紙管で薪束状に結束したことを特徴とする。
【０００６】
請求項２に記載の考案では、上記考案において、前記芯材を細長蝋燭としたことを特徴とする。
【０００７】
請求項３に記載の考案では、上記考案において、前記芯材の両端を、結束した細長木片群の両側から内部の細長木片間に差し込んで輪状に形成したことを特徴とする。
【０００８】
請求項４に記載の考案では、上記各考案において、全体を蝋液中に浸けて取り出し、表面に蝋を付着させたことを特徴とする。
【考案の効果】
【０００９】
本考案の着火材は、細長木片は建築廃材などの使用済みの木材や用途が少なく処分に窮している間伐材などの木材が使用でき、その木材を短く切って、これをさらに細分した物や割り箸などを短く切断した物等が使用できる。
また、用いる紙管はトイレットペーパーの芯材を利用し、適宜長さに輪切りにすることで長短各種幅の紙管が簡単に用意することが可能となる。
このように原材料として、木材やトイレットペーパーの芯材やどの廃棄物を再利用することが可能となる。
また、本考案の製造方法は、前記紙管に細長木片を差し込むだけで、細長木片群の束を簡単につくることが可能であり、木材の加工、紙管の製作を含めて専門技能を要することなく製品になるまで簡単に製造することができる。
【００１０】
本考案の着火材を使用する際には、先ずマッチやライターで着火しやすい芯材部分に火を着けるとその芯材の火力で周囲の細長木片群に着火し、各細長木片の間に生じる隙間から空気が供給されて着火部分が拡大してさらに強い火力でしばらく燃焼し続ける。そしてその細長木片群が燃え尽きるまでの間に着火しにくい燃料でも着火することが可能となる。
【００１１】
また、本考案は薪束のミニチアとして、薪を使用する暖炉や竈などの近くにある棚などに飾って置いても違和感がなく、使用する場所の近くに飾って置いて、いつでも使用できるようにすることも可能である。
なお、細長木片群をより長く設定したり、各細長木片の太さを変えることで、薪等の着火に要する細長木片群の燃焼時間をその長さや太さに応じて長くすることも可能である。
【００１２】
また、１本の紙管でも細長木片群を束ねることはできるが、間隔を置いて複数本使用すれば、より確実に細長木片群を束ねることができ、もし１本が破損したとしても細長木片群がバラバラに崩れることがない。
そして、より実際の薪束に近い形状のミニチアが完成し装飾物として飾って置くこともできる。
【００１３】
また、請求項２に記載の考案では、芯材を細長蝋燭とすることで、紙管の中に細長木片群と蝋燭とを一緒に立てて束ねることにより容易に製造することが可能となる。
この細い蝋燭は、誕生ケーキに使用した燃え残しキャンドルを捨てずに集めて置けば、有効に使用することができる。
【００１４】
さらに、請求項３に記載の考案では、１本の芯材の一箇所を着火すると、その火が両側に分かれて細長木片群の両側から細長木片群に確実に着火することが可能となるので、着火材の両端二箇所の着火が一回で行える利点がある。
【００１５】
請求項４に記載の考案では、蝋液中に浸けて全体の表面に蝋が付着し、その蝋で細長木片群が着火しやすくなり、且つ細長木片群の燃焼時間を長く引き伸ばすことが可能であり、また細長木片群の燃焼時間の加減を付着させる蝋の量で調節することも可能となる。
【図面の簡単な説明】
【００１６】
【図１】本考案の斜視図である。
【図２】芯材を細長木片群の両端から突出した態様を示す斜視図である。
【図３】細長木片群の両側に端部を差し込んだ輪状の芯材の形態を示す斜視図である。
【図４】芯材を細長蝋燭とした形態を示す斜視図である。
【考案を実施するための形態】
【００１７】
本考案の着火材の実施するための形態を以下説明する。
本考案は、図１に示すように、木材廃材を約５ｍｍ以内の太さで、約７ｃｍ程度に略同長に揃えた細長木片２群のほぼ中央部に、１本の２ｍｍ程度の径の綿紐製の芯材４を前記細長木片２群の一方端から２ｃｍ程度の長さに突出させて挟み込み、前記細長木片２群の周囲をトイレットペーパーの芯材を輪切りにして得られた約１．５ｃｍ幅の１本の紙管３で薪束状に結束する。
【００１８】
用いる前記細長木片２は、建築廃材などの使用済みの木材や用途が少なく処分に窮している間伐材や使用済み割り箸などの各種廃木材が使用でき、その木材を短く切って、これをさらに細かく割って得る。使用本数は限定するものではないが、暖炉用の乾いた薪では、図１に示すように、通常の３０本程度の本数あると１０〜２０分緯度の炎が維持される薪に着火できる。
【００１９】
また、用いる前記紙管３はトイレットペーパーの約４０ｍｍ径の型紙芯材を利用すると５ｍｍ程度の前記細長木片が２０から３０本程度束ねられるので好ましい。また、その幅は、カッターや鋏などで適宜の輪切りにすることで簡単に得ることができる。
そして、前記紙管３に細長木片２を２０から３０本ランダムに差し込むだけで、細長木片２群の束を簡単につくることが可能となる。
【００２０】
そして、蝋液中に浸けて、前記各細長木片２と紙管３と芯材４の表面に蝋５を付着させる。
この蝋５は、火力を高めるとともに燃焼時間を伸ばすことができ、さらに前記各細長木片２と紙管３と芯材４を結合させて前記紙管３が燃えて途中から切れて前記各細長木片２群に対する拘束力を失っても、バラけることなく全体を１つの塊り状態に維持でき、このため燃焼時間の短縮化を防止し、薪などが着火するまでに途中で燃え尽きてなくなってしまうことを防止することが可能となる。
【００２１】
また、図２に示すように、前記芯材４は前記細長木片２群の両端から突出させても良い。
この場合、前記細長木片２群の両端の芯材４にはそれぞれ別々に火をつけなければならないが、両方からの燃焼で早く炎を強くして早く着火させることができる。
また、このように両端から前記芯材４を突出させる場合、両方の先端が接触できる程度の長さにすれば、いずれか一方に着火を一回行って、両端部を接触させて、着火した火を他方の芯材４へ移して両方から燃焼させるようにすることも可能となる。
【００２２】
また、前記芯材４は、図４に示すように、細長蝋燭４ｂとすることもできる。
芯材を細長蝋燭４ｂとすると、紙管３の中に細長木片２群と細長蝋燭４ｂとを一緒に立てて束ねることにより柔軟で曲がってしまう紐状の前記芯材４を用いることと比較して容易に製造することが可能となる。
なお、前記細長蝋燭４ｂは、誕生ケーキに使用した燃え残しキャンドルを捨てずに集めて置けば、有効に再利用することができる。
【００２３】
さらに、図３に示すように、１本の芯材４の両端を、結束した細長木片２群の両側１ａ、１ｃから内部の細長木片２間に差し込み、輪状芯材４ａに形成することも可能である。
【００２４】
また、前記紙管３は、中央に１本を配しても十分結束することができるが、図２に示すように、間隔を置いて幅狭紙管３ａを複数本使用することも可能である。そして、前記紙管３の一方が切れても他方で束の形を維持できる。
例えば、図２に示すように、間隔を置いて２本用いれば、ミニチユアの薪束の装飾品とすることも可能となる。
【００２５】
なお、本考案の製品は精度を要求するものではなく、高度な専門的技能も必要なく、カッターナイフ、鋸、鋏などの日常工具を用いて軽い手作業で製品を完成できるため、授産施設運営のための仕事としても最適である。
【産業上の利用可能性】
【００２６】
本考案の着火材は、着火しくい薪などの燃料に着火するためのものであるが、着火対象物はその他に、石炭、炭、竹などでも使用可能である。また、これ自体を燃料用や照明用として利用することも可能である。
【符号の説明】
【００２７】
１    着火材
１ａ  着火材の端部
１ｂ  着火材の端部
１ｃ  着火材の中央部
２    細長木片
３    紙管
３ａ  幅狭紙管
４    芯材
４ａ  輪状芯材
４ｂ  細長蝋燭
５    蝋
６    細長木片間の隙間
【図１】
0003152331.tif 000003
【図２】
0003152331.tif 000004
【図３】
0003152331.tif 000005
【図４】
0003152331.tif 000006
【手続補正書】
【提出日】平成21年5月21日(2009.5.21)
【手続補正１】
【補正対象書類名】実用新案登録請求の範囲
【補正対象項目名】請求項４
【補正方法】変更
【補正の内容】
【請求項４】
全体を蝋液中に浸けて取り出し、表面に蝋を付着させたことを特徴とする請求項１〜３のうちいずれかに記載の着火材。